(57)【特許請求の範囲】
【請求項１】
靴に対して着脱自在に取り付けられる碍子昇降具であって、
前記靴の靴底に上面で接する靴底支持部材と、該靴底支持部材の上面に靴底を接した前記靴を該靴底支持部材に対して着脱自在に固定する締結部材と、前記靴底支持部材の底面によって一端部を支持され他端部を前記靴底支持部材の内側縁から内側へ突出させた係止部材と、を備えたことを特徴とする碍子昇降具。
【請求項２】
前記係止部材は、板状の基材と、絶縁碍子の傘状部材と接する該基材の部位に被覆された高摩擦膜と、を備えていることを特徴とする請求項１に記載の碍子昇降具。
【請求項３】
前記係止部材は、前記靴底支持部材の底面と接する一端部から前記内側へ略水平に延びる第１の部分と、該第１の部分から斜め上向きに延びる第２の部分と、該第２の部分から略水平に延びる第３の部分と、を備えていることを特徴とする請求項１又は２に記載の碍子昇降具。
【請求項４】
前記靴底支持部材の底面に対して、前記係止部材は前記内側への突出長を調整可能に構成されていることを特徴とする請求項１乃至３の何れか一項に記載の碍子昇降具。
【請求項５】
前記靴底支持部材の後部には、上下、及び前後位置を変更可能に背板が支持されていることを特徴とする請求項１乃至４の何れか一項に記載の碍子昇降具。
【発明の詳細な説明】
【技術分野】
【０００１】
本発明は変電所や鉄塔上に設置された比較的大型の絶縁碍子に作業員が登って点検作業等を行う際の安全性を確保することができ、しかも取扱性に優れた碍子昇降具に関する。
【背景技術】
【０００２】
変電所や鉄塔上に設置されている絶縁碍子（ブッシング）には、定期的な保守点検、清掃が必要とされている。変電所等に設置される全長２〜３ｍ程度の大型の絶縁碍子のように地上に設置した変圧器上に立設されている場合には、特許文献１（実公平０７−１５２８３号公報）に開示された如き保守点検作業用の昇降架台を用いることができる。しかし、この昇降架台は、大型、高重量であるために取扱い性が悪く、設置、移動、撤去に多大な時間と労力（人員）を要する。特に、複数の絶縁碍子を保守点検するために次々と移動する必要がある場合には、更に時間を要することとなる。また、高コストである。
特許文献２（特開平０９−２３９６８４号公報）には、碍子チャッキング装置、及びこれを用いた碍子清掃装置が開示されているが、装置構成が大がかりであり、設置、移動、撤去に手数がかかるばかりでなく、高コストである。
また、特許文献１、２に開示された装置は何れも鉄塔上の絶縁碍子の保守、点検、清掃には不向きである。
【０００３】
また、鉄塔上に垂直に設置された大型（全長６ｍ程度）の絶縁碍子を保守点検する際には、専用の梯子を鉄塔上に運び上げて絶縁碍子の一側面に沿って固定し、この梯子を昇降しながら絶縁碍子の保守点検等を行うこととなる。しかし、梯子と対面した側の絶縁碍子の側面については点検作業等を実施し易いが、反対側の側面については絶縁碍子に乗り移って作業を行う必要がある。この場合、図５（ａ）乃至（ｅ）に示すように作業員１００が腰に装着したベルトから延びる安全帯１０１を絶縁碍子１１０の傘状部分１１１間の凹所に引っ掛けると共に、両手で絶縁碍子に抱きついた状態で両足の作業靴１０５の先端を絶縁碍子の傘状部分間の凹所に差し込んで体重を掛けて乗る必要がある。その後、左右の作業靴を交互に絶縁碍子の凹所に差し込んで体重を移動しながら登ったり、降りることとなる。しかし、絶縁碍子の傘状部分は磁器製であるために滑り易いばかりでなく、傘状部分間の上下間隔が狭い場合には作業靴先端を安定して差し込むことが難しい。このため、絶縁碍子上で身体の安定を確保することが難しく、脱落や墜落の虞が常にある。
特許文献３（特開２００６−２８８３７０公報）には、枝打ちに際して使用する木登り器が開示されているが、傘状の部材を連接した構造の絶縁碍子にこの木登り器を適用して昇降することはできない。
【先行技術文献】
【特許文献】
【０００４】
【特許文献１】実公平０７−１５２８３号公報
【特許文献２】特開平０９−２３９６８４号公報
【特許文献３】特開２００６−２８８３７０公報
【発明の概要】
【発明が解決しようとする課題】
【０００５】
以上のように従来作業員が大型の絶縁碍子に抱きついた状態で昇降する際には、作業靴の先端を傘状部分の間に差し込んで身体を安定させる必要があったが、磁器製の碍子は滑りやすく、しかも傘状部分の上下間隔が狭い場合には作業靴の先端を安定して差込み掛止することが難しく、脱落や墜落の虞があった。
本発明は上記に鑑みてなされたものであり、作業員が大型の絶縁碍子に抱きついた状態で昇降する際に、絶縁碍子の傘状部分の間に差し込んで身体を安定させ易く、しかも着脱操作性、取扱い性が良好で安全性の高い碍子昇降具を提供するものである。
【課題を解決するための手段】
【０００６】
上記目的を達成するため、請求項１の発明に係る碍子昇降具は、靴に対して着脱自在に取り付けられる碍子昇降具であって、前記靴の靴底に上面で接する靴底支持部材と、該靴底支持部材の上面に靴底を接した前記靴を該靴底支持部材に対して着脱自在に固定する締結部材と、前記靴底支持部材の底面によって一端部を支持され他端部を前記靴底支持部材の内側縁から内側へ突出させた係止部材と、を備えたことを特徴とする。
この碍子昇降具を作業靴に対して着脱することにより、碍子の凹凸形状を利用して作業靴を確実に碍子に係止することができ、安全に昇降することが可能となる。軽量、低コスト、取扱性、可搬性に優れる点も特徴である。
請求項２の発明は、前記係止部材は、板状の基材と、絶縁碍子の傘状部材と接する該基材の部位に被覆された高摩擦膜と、を備えていることを特徴とする。
碍子と接触する係止部材の適所に高摩擦部材を被覆することにより碍子との間で滑ることを防止できる。高摩擦部材を緩衝材料から構成すれば、碍子を損傷することもなくなる。
【０００７】
請求項３の発明は、前記係止部材は、前記靴底支持部材の底面と接する一端部から前記内側へ略水平に延びる第１の部分と、該第１の部分から斜め上向きに延びる第２の部分と、該第２の部分から略水平に延びる第３の部分と、を備えていることを特徴とする。
係止部材の先端（第３の部分）を、碍子を構成する傘状部材間の凹所内に差し込んで作業員の体重をかけることにより、第３の部分の上面と、第１の部分の下面が傘状部分と接触するので、作業員の姿勢を安定させることができる。しかも、この状態で靴から作業員の体重がかかることにより第１の部分の姿勢が略水平になるので、作業員の姿勢が安定して作業が容易となる。
請求項４の発明は、前記靴底支持部材の底面に対して、前記係止部材は前記内側への突出長を調整可能に構成されていることを特徴とする。
絶縁碍子の形状、サイズ等の変更に追従して、係止部材の突出長を変更することにより、最適の条件で昇降したり、作業員の体勢を保持することが可能となる。
請求項５の発明は、前記靴底支持部材の後部には、上下、及び前後位置を変更可能に背板が支持されていることを特徴とする。
背板の位置、角度を変更することにより、装着する靴のサイズの違いに対応することが可能となる。
【発明の効果】
【０００８】
作業靴に対して昇降具を取り付ける構成としたので、碍子の保守点検、清掃のために作業員が大型の絶縁碍子に抱きついた状態で昇降する際に、絶縁碍子の傘状部分の間に昇降具の一部差し込んで身体を安定させ易くなるため、安定性、作業性が高まる。しかも靴に対する着脱操作性、取扱い性が良好で、低コストである。
【図面の簡単な説明】
【０００９】
【図１】（ａ）乃至（ｅ）は本発明の一実施形態に係る碍子昇降具の構成を示す斜視図、正面図、左側面図、平面図、及び底面図である。
【図２】（ａ）乃至（ｅ）は碍子昇降具を作業靴に装着して絶縁碍子を昇降する状態を示す説明図である。
【図３】（ａ）及び（ｂ）は締結部材の構成を示す外観図、及び断面図である。
【図４】他の実施形態に係る碍子昇降具の外観斜視図である。
【図５】（ａ）乃至（ｅ）は従来の碍子昇降方法を示す説明図である。
【発明を実施するための形態】
【００１０】
以下、本発明を図面に示した実施の形態により詳細に説明する。
図１（ａ）乃至（ｅ）は本発明の一実施形態に係る碍子昇降具の構成を示す斜視図、正面図、左側面図、平面図、及び底面図であり、図２（ａ）乃至（ｅ）は碍子昇降具を作業靴に装着して絶縁碍子を昇降する状態を示す説明図である。
碍子昇降具１は、左右の作業靴５０の外面に対して着脱自在に装着できる構成を備えた昇降具本体Ａと、各昇降具本体Ａの底面に一部を固定され他の部位を昇降具本体の内側縁から突出させた係止部材２０と、を概略備えている。
【００１１】
以下、左靴用の作業靴に装着される左用の碍子昇降具１の構成を中心に説明する。右靴用の碍子昇降具の構成は、左靴用の碍子昇降具と左右対称である点を除けば同等である。
碍子昇降具１は、作業靴５０の靴底５１に上面で接する靴底支持部材（底板）２と、作業靴の背面を支持する背板５と、靴底支持部材２の上面に靴底５１を接した作業靴５０を靴底支持部材２に対して着脱自在に固定する締結部材１０と、靴底支持部材２の底面によって一端部を支持され他端部を靴底支持部材の内側縁から内側へ突出させた係止部材２０と、を概略備えている。
靴底支持部材２は、その底面（下面）で係止部材２０を支持するため、十分な強度を備えた絶縁性の樹脂材料、カーボングラファイト、カーボンファイバー、グラスファイバー、各種の繊維強化プラスチック等から構成する。或いは、金属ベースの外面に絶縁樹脂等を被覆した構成であってもよい。その底面には、螺子穴３を形成し、係止部材２０側に設けた穴２０ａをボルト（ナット）２５により着脱自在に固定できるように構成する。或いは、係止部材２０と靴底支持部材２とを予め一体化しておいてもよい。靴底支持部材２の先端縁には作業靴の先端部を係止する為の凸部２ａを設ける。係止部材２０を靴底支持部材に対して着脱交換可能に構成することにより、昇降する絶縁碍子の構造やサイズの違いに応じて最適な係止部材を装着して使用することが可能となる。
なお、係止部材２０に設けた穴２０ａを図１（ｅ）中に破線で示したような長穴とし、ボルト（ナット）により任意の位置で固定することにより、係止部材の先端部の突出長を調整することができる。
【００１２】
背板５は、靴底支持部材２の両側方に夫々立設した側壁２ｂに一端４ａを支持された２つの連結片４の他端部４ｂによって下部を固定されている。連結片の一端部４ａは側壁２ｂに対して所定の角度で固定してもよいし、一端部４ａを中心として連結片４を上下方向へ回動自在に軸支し且つ任意の角度で螺子止め固定できるように構成してもよい。このように構成することにより、装着する作業靴のサイズの違いに応じて背板５の前後、上下位置を微調整して作業靴の背面に密着させることが可能となる。
締結部材１０は、例えば靴底支持部材２の一方の側端縁から延びた締結ベルト１１と、対応する他方の側端縁に設けた締結具１３と、から構成し、例えばズボン用のベルトのバックルの如き構成によって締結ベルト１１を締結具１３に設けた締結穴１３ａ内に差し込んで任意の長さ位置で掛止できるように構成する。
【００１３】
具体的には、例えば図３（ａ）（ｂ）に示すように締結ベルト１１の一面には複数の逆止突起１１ａが連続して形成されており、締結具１３に設けた締結穴１３ａ内に締結ベルト１１の先端から挿入可能に構成されている。一方、締結穴１３ａの外壁１３ｂに設けた軸１３ｃにより係止片１５が回動自在に軸支されると共に図示しないバネ（コイルバネ、トーションバネ等）によって係止片１５は矢印方向イへ常時付勢されている。係止片１５は締結穴１３ａ内に位置する係止部１５ａと、外壁１３ｂの外部に位置する解除部１５ｂと、から構成されており、外力が加わらない場合にはバネによって係止部１５ａが締結穴１３ａ内に突出している。図３（ｂ）のように係止部１５ａが締結穴１３ａ内に突出している状態で締結穴１３ａから締結ベルト１１の先端を差し込むと、締結ベルトに係止部１５ａが押圧されてバネに抗して回動し締結ベルトの逆止突起１１ａの通過を許容する。何れか一つの逆止突起１１ａが係止部１５ａを通過するとバネの力により逆止突起１１ａは矢印イ方向へ戻り、後続の逆止突起１１ａとの間の谷間に入り込んで係止状態となる。係止部１５ａが係止状態にある時に締結ベルト１１を締結穴から抜き取る方向へ引いたとしても係止部１５ａが逆止突起１１ａ間に位置する限り抜取りはできない。一方、外壁１３ｂの外側に突出している解除部１５ｂを手作業によりバネに抗して矢印イとは逆方向へ回動させることにより、係止部１５ａが逆止突起１１ａ間の谷間から離脱するため、締結ベルトを締結穴から抜き取ることが可能となる。この操作は片手で行うことができる。
【００１４】
係止部材２０は、十分な強度、弾性、絶縁性を備えた材料、例えば、絶縁性樹脂、カーボングラファイト、カーボンファイバー、グラスファイバー、各種の繊維強化プラスチック等からなる板状の基材と、絶縁碍子の傘状部材と接する基材の少なくとも先端部位、下面に被覆された樹脂、ゴム等の高摩擦膜と、を備えている。係止部材２０は、靴底支持部材２の底面と接する一端部２０Aから内側へやや上向きに傾斜して延びる第１の部分２０Bと、第１の部分２０Bから斜め上向きに延びる第２の部分２０Cと、第２の部分２０Cから略水平に延びる第３の部分（先端部分）２０Dと、を備えている。係止部材２０の先端には凹部２０Eを設けて、絶縁碍子の中心軸部の外周形状に整合し易く構成する。
係止部材の第１の部分２０Bと第３の部分２０Dとの間には段差があるため、第３の部分２０Dを碍子の傘状部材間の谷間に差し込んで体重を掛けたときに第２の部分２０Cが変形して第３の部分２０Dが下降傾斜することにより、第３の部分２０Dの底面が下側の傘状部材の上面に当接するので、係止部材２０を安定して傘状部材間に保持することが出来る。
【００１５】
以上の構成を備えた碍子昇降具１を作業靴に装着する際には、締結ベルト１１を締結具１３から離脱させた状態で靴底支持部材２の上面に作業靴５０の靴底５１が整合するように乗せ、この状態で締結ベルトを締結具１３の締結穴１３ａに差込んで作業靴との間に弛みを生じない程度に締め付ける。この際、バネ付勢された係止部１５ａが逆止突起１１ａ間の谷間に係止された状態となるため、解除部１５ｂを操作しない限り、締結ベルト１１が弛むことはない。作業靴５０の背、及び作業員の脹ら脛は、背板５によって支持されるため、作業靴が靴底支持部材２の後部から脱落することはない。作業靴のサイズの相違に対応して背板５の前後方向位置を調整可能に構成している場合には、連結片の一端部４ａ、他端部４ｂに夫々設けた図示しない調整螺子によって連結片４、及び背板５の角度を調整すればよい。
【００１６】
次に、図２に基づいて作業靴に本発明の碍子昇降具を装着した状態での碍子の昇降手順について説明する。
絶縁碍子６０は複数個の傘状部材６１を上下に連接した構成を有している。絶縁碍子の傘状部材の横幅（直径）は、３０〜４０ｃｍ程度である。この絶縁碍子６０に作業員７０が乗って昇降する際には、まず図示のように作業員７０が作業靴の内側から突出した係止部材２０の先端部を絶縁碍子の傘状部材６１間の凹所６２に差し込んで体重を掛ける。このとき係止部材先端の第３の部分２０Ｄの上面は凹所６２の上側の傘状部材の下面と圧接した状態となる。第３の部分２０Ｄの外面には緩衝材兼滑り止め用のゴム等の弾性材料を被覆することにより、傘状部材の下面との間の滑りを防止できる。また、（ｃ）に示すように靴底支持部材２に体重を掛けることにより、第２の部分２０Ｃが下方に変形し、第２の部分２０Ｃ、及び第２の部分２０Ｂの下面が下側の傘状部材の上面と当接する。この際、靴底支持部材２の底面は図示のように水平に近い状態となるので、作業者は姿勢を安定させることができる。第２の部分２０Ｃ、及び第２の部分２０Ｂの下面にも緩衝材兼滑り止め材料を被覆しておくことにより、傘状部材の上面との滑りを防止して、係止部材を安定して保持することができる。
【００１７】
係止部材２０の外面に被覆する滑り止め部材は、碍子の破損を防止する上でも有効に機能する。
なお、作業員のベルトから伸びる安全帯７５を絶縁碍子の傘状部材６１間の凹所６２に引っ掛けることにより、更なる安全確保を図る。
図２（ａ）（ｂ）の状態から絶縁碍子に沿って上昇する際には、左右の脚を交互に上方に移動させる。この際、次の凹所６２内に一方の作業靴の係止部材２０を差し込んで確実に掛止してから、次の作業靴を更に上方に移動させて次の凹所６２内に係止部材を差し込む。
下降時には上昇時と逆の手順を踏めばよい。
【００１８】
次に、図４は本発明の他の実施形態に係る碍子昇降具の構成を示す斜視図である。
この碍子昇降具１は、樹脂製の昇降具本体４０と、昇降具本体４０の底面に対して着脱自在、或いは固定された係止部材３０と、を備えている。
昇降具本体４０は、十分な強度を備えた絶縁性の樹脂から構成されており、靴底支持部材２と、靴底支持部材２の先端及び側縁から夫々上方に突設された凸部２ａ、及び側壁２ｂと、靴底支持部材２の後縁に連接された背板５と、締結部材１０と、を備えている。締結部材１０は、靴底支持部材２の一方の側端縁から延びた締結ベルト１１と、対応する他方の側端縁に設けた締結具１３と、から構成する。
この碍子昇降具１の使用方法は前記実施形態とほぼ同様であり、靴底支持部材２の上面に靴底が整合して着座するように作業靴を装着してから締結部材１０を締結すれば、作業靴を碍子昇降具１に固定することができる。
その他の構成、例えば係止部材２０の構成、昇降具本体４０に対する係止部材の取付構造等々は上記実施形態と同様である。
【００１９】
以上のように本発明によれば、碍子昇降具を作業靴に対して取り付けることにより、碍子の凹凸形状を利用して作業靴を確実に碍子に係止することができ、安全に昇降し、必要な保守点検、清掃作業等を実施することが可能となる。即ち、靴と一体化された係止部材の先端を碍子の凹所内に差し込んで靴から作業員の体重をかけることにより、靴を脱落させることなく凹所に係止することができる。従来のように作業靴の先端を碍子の凹所内に差し込んで足場としつつ昇降する場合には、凹所のサイズ、靴のサイズ等々の要因によって靴先が滑り落ちることがあったが、本発明では、板状の係止部材を凹所内に差し込むので、そのような不具合はない。絶縁碍子の傘状の部分の直径、傘状部材間の凹所の深さ、凹所の上下幅等々は碍子によって異なるが、板状の係止部材を用いるため、安定して差込み、係止されることができる。従って、鉄塔上の絶縁碍子を昇降する際にも、特別の梯子を用いずに直接昇降することができる。また、この碍子昇降具は、軽量、かつ低コストであり、取扱性、可搬性に優れている。
【００２０】
また、係止部材を、板状の基材と、絶縁碍子の傘状部材と接する該基材の部位に被覆された高摩擦膜と、から構成したので、碍子と接触する係止部材の適所に高摩擦部材が配置されることとなり、碍子との間で滑ることを確実に防止できる。高摩擦部材を緩衝材料から構成すれば、碍子を損傷することもなくなる。
また、係止部材は、靴底支持部材の底面と接する一端部から内側へ略水平に延びる第１の部分と、該第１の部分から斜め上向きに延びる第２の部分と、該第２の部分から略水平に延びる第３の部分と、を備えている。このため、係止部材の先端（第３の部分）を、碍子を構成する傘状部材間の凹所内に差し込んで作業員の体重をかけることにより、第３の部分の上面と、第１の部分の下面が傘状部分と接触するので、作業員の姿勢を安定させることができる。しかも、この状態で靴から作業員の体重がかかることにより第１の部分の姿勢が略水平になるので、作業員の姿勢が安定して作業が容易となる。即ち、係止部材が全体的に水平であるとすれば、先端を碍子に係止して靴から体重を掛けた場合には、係止部材の靴側が下方へ撓んで傾斜する。この姿勢では、作業がやりずらい。そこで、体重をかけた時の下降量を予め見込んで段差状に上向きとなる形状としたので、体重を掛けたときに靴を水平に維持することができる。
靴底支持部材の底面に対して、係止部材の内側への突出長を調整可能に構成することにより、絶縁碍子の形状、サイズ等の変化に追従して、係止部材の突出長を変更することにより、最適の条件で昇降したり、作業員の体勢を保持することが可能となる。
また、背板の位置、角度を変更することにより、装着する靴のサイズの違いに対応することが可能となる。
【符号の説明】
【００２１】
１…碍子昇降具、２…靴底支持部材、２ａ…凸部、２ｂ…側壁、３…螺子穴、４…連結片、４ａ…一端部、４ｂ…他端部、５…背板、１０…締結部材、１１…締結ベルト、１１ａ…逆止突起、１３…締結具、１３ａ…締結穴、１３ｂ…外壁、１３ｃ…軸、１５…係止片、１５ａ…係止部、１５ｂ…解除部、２０…係止部材、２０A…一端部、２０B…第１の部分、２０C…第２の部分、２０D…第３の部分、２０E…凹部、２０ａ…穴、３０…係止部材、４０…昇降具本体、５０…作業靴、５１…靴底、６０…絶縁碍子、６１…傘状部材、６２…凹所、７０…作業員、７５…安全帯
【図１】
0005312507.tif 000002
【図２】
0005312507.tif 000003
【図３】
0005312507.tif 000004
【図４】
0005312507.tif 000005
【図５】
0005312507.tif 000006